(57)【要約】【課題】  自動電圧調整器の異常を個々に特定し、異常が生じた自動電圧調整器を迅速かつ確実に配電線路から切り離すことにより、本来の配電系統システムの機能の早期回復を図ることを目的としている。【解決手段】  本発明にかかる異常検出装置１５０の代表的な構成は、開閉ユニット１４０の第２開閉部１４４の電源側端子の電流を検出する第１変流器１５２と、第３開閉部１４６の負荷側端子の電流を検出する第２変流器１５４と、第１変流器が検出した電流値と第２変流器が検出した電流値とを比較し、所定値以上の差分があった場合、切替フラグを立てる差分検出部１５６と、切替フラグが立った後、第１開閉部を閉路し第２開閉部および第３開閉部を開路して自動電圧調整器１３０を配電線路から切り離す開閉操作部１５８と、を備えることを特徴とする。【選択図】    図２
2009201272.tif 000002
【特許請求の範囲】
【請求項１】
配電線路を開閉する第１開閉部と、該第１開閉部の電源側端子と自動電圧調整器の１次側端子とを開閉する第２開閉部と、該第１開閉部の負荷側端子と該自動電圧調整器の２次側端子とを開閉する第３開閉部とを有し、該第１開閉部と、該第２開閉部および第３開閉部とが排他的に開閉される開閉ユニットに接続された異常検出装置であって、
前記第２開閉部の電源側端子の電流を検出する第１変流器と、
前記第３開閉部の負荷側端子の電流を検出する第２変流器と、
前記第１変流器が検出した電流値と前記第２変流器が検出した電流値とを比較し、所定値以上の差分があった場合、切替フラグを立てる差分検出部と、
前記切替フラグが立った後、前記第１開閉部を閉路し前記第２開閉部および第３開閉部を開路して前記自動電圧調整器を前記配電線路から切り離す開閉操作部と、
を備えることを特徴とする異常検出装置。
【請求項２】
前記第２変流器はさらに異常電流を検知し、
前記異常電流の検知を周囲に報知する異常報知部をさらに備えることを特徴とする請求項１に記載の異常検出装置。
【請求項３】
配電線路の任意の位置に配設され該配電線路の電圧を調整する自動電圧調整器と、該配電線路を開閉する第１開閉部、該第１開閉部の電源側端子と該自動電圧調整器の１次側端子とを開閉する第２開閉部、および該第１開閉部の負荷側端子と該自動電圧調整器の２次側端子とを開閉する第３開閉部を有する開閉ユニットと、該開閉ユニットに接続される異常検出装置と、該開閉ユニットおよび該異常検出装置に通信網を介して接続された管理サーバとを含む配電系統システムであって、
前記異常検出装置は、
前記第２開閉部の電源側端子の電流を検出する第１変流器と、
前記第３開閉部の負荷側端子の電流を検出する第２変流器と、
前記第１変流器が検出した電流値と前記第２変流器が検出した電流値とを比較し、所定値以上の差分があった場合、切替フラグを立てる差分検出部と、
前記切替フラグが立つと、その旨管理サーバに伝達する異常伝達部と、
を備え、
前記管理サーバは、前記切替フラグが立ったことを受け、前記開閉ユニットに対して前記第１開閉部の閉路ならびに前記第２開閉部および第３開閉部の開路を指令することを特徴とする配電系統システム。
【請求項４】
前記第２変流器はさらに異常電流を検知し、
前記異常伝達部は前記異常電流を検知したことも前記管理サーバに伝達することを特徴とする請求項３に記載の配電系統システム。
【発明の詳細な説明】
【技術分野】
【０００１】
本発明は、自動電圧調整器の異常を検出する異常検出装置および配電系統システムに関する。
【背景技術】
【０００２】
配電系統における需要者の引込口では、電気事業法に定められた範囲に供給電圧を維持しなくてはならない。そのため電圧降下や電圧変動により供給電圧が維持すべき範囲を逸脱しないように電圧を管理する必要がある。この管理手法の１つとして、配電線路には線路中の電圧を調整し引込口の電圧を補償する自動電圧調整器（ＳＶＲ：Step Voltage Regulator、配電用自動電圧調整器、高圧自動電圧調整器とも呼ばれる。）が配設されている。
【０００３】
また、このような自動電圧調整器の保守点検時、取り替え時、故障時には、需要者への給電を維持しつつ自動電圧調整器を配電線路から電気的に切り離す必要がある。かかる切り離しは、配電線路と自動電圧調整器との間に開閉器を設け、その接続関係を変更することで為される。
【０００４】
図７は、自動電圧調整器１０と開閉器１２（１２Ａ、１２Ｂ、１２Ｃ）との接続関係を示した回路図である。ここでは、開閉器１２Ａが配電線路１４の電源側と負荷側を開閉し、開閉器１２Ｂが開閉器１２Ａの電源側端子と自動電圧調整器１０の１次側端子とを開閉し、開閉器１２Ｃが開閉器１２Ａの負荷側端子と自動電圧調整器１０の２次側端子とを開閉する。かかる開閉器１２Ａと開閉器１２Ｂ、１２Ｃとは、排他的に開閉され、自動電圧調整器１０に給電している間は、図７（ａ）のように、開閉器１２Ａを開路し、開閉器１２Ｂ、１２Ｃを閉路している。
【０００５】
また、自動電圧調整器１０の保守点検時や取り替え時には、図７（ｂ）のように、開閉器１２Ａを閉路し、開閉器１２Ｂ、１２Ｃを開路することで配電線路１４と自動電圧調整器１０とが電気的に切り離され、需要者への給電を維持したまま、自動電圧調整器１０の保守点検作業を行うことができる。
【０００６】
図８は、従来の自動電圧調整器１０および開閉器１２Ａ、１２Ｂ、１２Ｃの配置を説明するための配置図である。従来では、自動電圧調整器１０が占有体積およびその重量も大きかったので、２本の電力柱１６Ａ、１６Ｂを用いたＨ柱装柱によりその自動電圧調整器１０を支持していた。また、自動電圧調整器１０のみならず、図８に示すように、３つの開閉器１２Ａ、１２Ｂ、１２Ｃも大きな設置スペースを必要としている。近年、自動電圧調整器１０の開発も進み、単柱装柱用の自動電圧調整器１０も実現され、それに伴って単柱装柱を可能とする開閉器１２の小型・軽量化が望まれるようになった。
【０００７】
こうして、３つの開閉器１２Ａ、１２Ｂ、１２Ｃの機能を１つの装置に集約し、配電線路１４への自動電圧調整器１０の接続を統合化する技術が開発された（例えば、特許文献１）。また、このように集約した開閉器の各開閉動作タイミングを、回動する歯車を使った簡易な構成で実現する技術も公開されている（例えば、特許文献２、３）。
【特許文献１】特開平１１−５４０００号公報
【特許文献２】特開２００３−１６８８４号公報
【特許文献３】特開２００５−３２４９７号公報
【発明の開示】
【発明が解決しようとする課題】
【０００８】
上述した保守点検時、取り替え時のみならず自動電圧調整器１０自体が故障した場合にも、図７で説明したように自動電圧調整器１０を配電線路から切り離すことができる。例えば、自動電圧調整器１０内部に地絡や短絡が生じると、変電所における配電用変圧器がそのような事象による異常電流を検知してトリップする。かかる停電状態を早期に解除し、需要者への給電を一刻も早く再開するため事故原因となった自動電圧調整器１０を配電線路１４から切り離さなければならない。
【０００９】
しかし、現行の配電系統システムにおいては、自動電圧調整器１０の故障を個別に特定することができないので、事故原因が完全に取り除かれないまま給電を再開してしまい再度の停電を誘発しかねない。また、事故が生じている配電区間を特定するとその他の配電区間の給電は再開できるが、事故配電区間の停電は事故箇所の特定、除去まで継続し、事故地点の把握に長時間を要してしまうと停電時間も長くなってしまう。
【００１０】
また、配電線路１４の末端近傍等における短絡電流が小さい事故の場合、変電所における短絡電流変電所リレーにてその事故を検知できず、自動電圧調整器１０の異常を認識することができない場合がある。このような異常が残ったまま配電系統システムを引き続き運用することで、他の設備被害のリスクが増大する。
【００１１】
さらに、図７のように自動電圧調整器１０に避雷器（ＬＡ：Lightning Arrester）が設けられ、雷によって、避雷器が短絡箇所となった場合、短絡箇所を速やかに遮断できる構造となっているため、やはり短絡電流を変電所リレーにて検知できず、他の設備被害のリスクが増大することとなる。
【００１２】
本発明は、このような課題に鑑み、自動電圧調整器の異常を個々に特定し、異常が生じた自動電圧調整器を迅速かつ確実に配電線路から切り離すことにより、本来の配電系統システムの機能の早期回復を図ることが可能な異常検出装置および配電系統システムを提供することを目的としている。
【課題を解決するための手段】
【００１３】
上記課題を解決するために、本発明にかかる代表的な構成は、配電線路を開閉する第１開閉部と、第１開閉部の電源側端子と自動電圧調整器の１次側端子とを開閉する第２開閉部と、第１開閉部の負荷側端子と自動電圧調整器の２次側端子とを開閉する第３開閉部とを有し、第１開閉部と、第２開閉部および第３開閉部とが排他的に開閉される開閉ユニットに接続された異常検出装置であって、第２開閉部の電源側端子の電流を検出する第１変流器と、第３開閉部の負荷側端子の電流を検出する第２変流器と、第１変流器が検出した電流値と第２変流器が検出した電流値とを比較し、所定値以上の差分があった場合、切替フラグを立てる差分検出部と、切替フラグが立った後、第１開閉部を閉路し第２開閉部および第３開閉部を開路して自動電圧調整器を配電線路から切り離す開閉操作部と、を備えることを特徴とする。
【００１４】
本発明では、第１変流器が検出した電流値と第２変流器が検出した電流値とを比較し、所定値以上の差分があった場合に当該自動電圧調整器に事故があったと判断する。かかる構成により、異常検出装置は、自動電圧調整器の異常を個々に特定することができ、異常が生じた自動電圧調整器を迅速かつ確実に配電線路から切り離すことが可能となる。
【００１５】
また、短絡電流が小さい場合や、避雷器が動作する場合であっても、第１変流器と第２変流器との電流値の差分によりその異常を確実に検出することができるので、事故地点の早期の特定、除去が可能となり、他の設備被害のリスクを削減することができる。
【００１６】
第２変流器はさらに異常電流を検知し、当該異常検出装置は異常電流の検知を周囲に報知する異常報知部をさらに備えてもよい。
【００１７】
かかる構成により、既存の短絡電流通過表示器（ＳＩ）同様、第３開閉部の負荷側端子の異常電流が検出され、当該開閉ユニットより下流において短絡または地絡による事故が起きていることをその周囲で視覚的に把握することが可能となる。
【００１８】
本発明にかかる他の代表的な構成は、配電線路の任意の位置に配設され配電線路の電圧を調整する自動電圧調整器と、配電線路を開閉する第１開閉部、第１開閉部の電源側端子と自動電圧調整器の１次側端子とを開閉する第２開閉部、および第１開閉部の負荷側端子と自動電圧調整器の２次側端子とを開閉する第３開閉部を有する開閉ユニットと、開閉ユニットに接続される異常検出装置と、開閉ユニットおよび異常検出装置に通信網を介して接続された管理サーバとを含む配電系統システムであって、異常検出装置は、第２開閉部の電源側端子の電流を検出する第１変流器と、第３開閉部の負荷側端子の電流を検出する第２変流器と、第１変流器が検出した電流値と第２変流器が検出した電流値とを比較し、所定値以上の差分があった場合、切替フラグを立てる差分検出部と、切替フラグが立つと、その旨管理サーバに伝達する異常伝達部と、を備え、管理サーバは、切替フラグが立ったことを受け、開閉ユニットに対して第１開閉部の閉路ならびに第２開閉部および第３開閉部の開路を指令することを特徴とする。
【００１９】
本発明では、管理サーバが、異常検出装置を通じて特定の自動電圧調整器の異常を個々に把握することができ、異常が生じた自動電圧調整器を迅速かつ確実に配電線路から切り離すことが可能となる。
【００２０】
第２変流器はさらに異常電流を検知し、異常伝達部は異常電流を検知したことも管理サーバに伝達してもよい。
【００２１】
かかる構成により、管理サーバは、特定の開閉ユニットより下流において短絡または地絡による事故が起きていることを把握することが可能となる。
【発明の効果】
【００２２】
以上説明したように本発明によれば、自動電圧調整器の異常を個々に特定し、異常が生じた自動電圧調整器を迅速かつ確実に配電線路から切り離すことにより、本来の配電系統システムの機能の早期回復を図ることが可能となる。
【発明を実施するための最良の形態】
【００２３】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２４】
例えば、配電系統の一部で事故が発生した場合、発電所または変電所では電力事業所の管理下にある配電系統への電力の供給を一旦停止し、事故が起きた地点を大まかな配電区間に絞って、その事故配電区間以外の正常配電区間への電力供給を再開する。それに並行して事故配電区間内のさらに詳細な事故地点の捜査が行われる。
【００２５】
しかし、配電線路中の自動電圧調整器（以下、単にＳＶＲという。）における再現性の少ない故障や偶発的な故障、さらに、ＳＶＲ内の短絡事故であっても短絡電流が小さい場合や、避雷器が動作する場合には、その事故地点を特定するのに長時間を要し、ついには特定できないこともある。従って、このような異常が残ったまま需要者への給電を再開すると、再度の停電を招き、また、他の設備被害のリスクが増大する。
【００２６】
本実施形態の配電系統システムでは、このようなＳＶＲの異常を個々に特定し、異常が生じたＳＶＲを迅速かつ確実に配電線路から切り離すことが可能となるので、本来の配電系統システムの機能の早期回復を図ることができる。以下、このような配電系統システムの構成を簡単に説明し、後にその具体的な動作を説明する。
【００２７】
（第１の実施形態：配電系統システム１００）
図１は、配電系統システム１００の概略的な構成を示す説明図である。ここで配電系統システム１００は、配電用変電所１１０と、高圧配電線路（配電線路）１２０と、ＳＶＲ１３０と、開閉ユニット１４０と、異常検出装置１５０とを含んで構成される。配電用変電所１１０は、配電用変圧器１１２を通じて母線１１４から受電した電力（６ｋＶ三相交流５０／６０Ｈｚ）を各配電系統の高圧配電線路１２０に配電している。高圧配電線路１２０は、配電用変圧器１１２から分岐し、放射状に広がる並行線路（フィーダ）（Ａ）、（Ｂ）、（Ｃ）から形成されている。
【００２８】
図２は、ＳＶＲ１３０と、開閉ユニット１４０と、異常検出装置１５０との接続関係を示した回路図であり、図３は、その位置関係を示した外観図である。ＳＶＲ１３０は、開閉ユニット１４０を通じて高圧配電線路１２０に接続され、異常検出装置１５０は、開閉ユニット１４０を通じてＳＶＲ１３０の異常を検出する。
【００２９】
ＳＶＲ１３０は、変電所の送り出し電圧では調整しきれない幅の電圧降下を補償すべく、その２次側（負荷側）における高圧配電線路１２０の負荷中心点の電圧を所定の値に維持するよう、自体に設けられた調整単巻き変圧器１３２の１次側のタップを切り替えて電圧を調整する。
【００３０】
図４は、ＳＶＲ１３０の動作を説明するための説明図である。例えば同一の配電系統における任意の並行線路（フィーダ）に複数のＳＶＲ１３０Ａ、１３０Ｂが順次配設されている場合、配電用変圧器１１２からの距離に応じて電圧降下が生じる。即ち、ＳＶＲ１３０を配設していない状態では、図４中破線で示したように系統電圧が許容される最小値を逸脱してしまう。そこで、ＳＶＲ１３０Ａ、１３０Ｂにおいて図４中実線で示したように系統電圧を昇圧することで補償し、それ以降においても適切な電圧範囲を維持しつつ需要者への給電を継続する。
【００３１】
開閉ユニット１４０は、高圧配電線路１２０を開閉する第１開閉部１４２、第１開閉部１４２の電源側端子とＳＶＲ１３０の１次側端子とを開閉する第２開閉部１４４、および第１開閉部１４２の負荷側端子とＳＶＲ１３０の２次側端子とを開閉する第３開閉部１４６とを含んでなる。ここでは、３つの開閉部１４２、１４４、１４６を開閉ユニット１４０内にそれぞれ埋設する例を挙げているが、かかる場合に限られず、全ての開閉部を別体に独立して形成することもでき、いずれかの組合せのみ独立して形成することもできる。
【００３２】
開閉ニット１４０は、通常時、即ち、ＳＶＲ１３０による電圧調整を遂行している場合には、第１開閉部１４２を開路し、第２開閉部１４４、第３開閉部１４６を閉路し、ＳＶＲ１３０の保守点検時、取り替え時、故障時には、第１開閉部１４２を閉路し、第２開閉部１４４、第３開閉部１４６を開路する。ただし、ＳＶＲ１３０による電圧調整を行っているときには、通常、その１次側端子と２次側端子とに電位差が生じているので、ＳＶＲ１３０を高圧配電線路１２０から切り離す際に、その電位差を０（ゼロ）にする必要がある。
【００３３】
異常検出装置１５０は、電源線１７０からの給電を受け停電時であっても内蔵されたバッテリーの畜電力を利用して動作可能であり、第１変流器１５２と、第２変流器１５４と、差分検出部１５６と、開閉操作部１５８と、異常報知部１６０とを含んで構成される。第１変流器１５２は、例えば、計器用変流器（ＣＴ：Current Transformers）や零相変流器（ＺＣＴ：Zero phase Current Transformer）で構成され、第２開閉部１４４（第１開閉部１４２）の電源側端子の電流を検出する。第２変流器１５４は、第３開閉部１４６（第１開閉部１４２）の負荷側端子の電流を検出する。ここで、第１変流器１５２および第２変流器１５４は、同相１相分の電流を検出してもよいし、２相または３相の電流をそれぞれ検出してもよい。
【００３４】
差分検出部１５６は、第１変流器１５２が検出した電流値と第２変流器１５４が検出した電流値とを比較し、所定値以上の差分があった場合、切替フラグを立てる。開閉操作部１５８は、切替フラグが立っていれば、避雷器ＬＡを用いて電流を遮断し第１開閉部１４２を閉路し、第２開閉部１４４および第３開閉部１４６を開路してＳＶＲ１３０を高圧配電線路１２０から自己完結的に切り離す。また、開閉操作部１５８は、ＳＶＲ１３０を切り離してから所定時間経過後に切替フラグをリセットする。異常報知部１６０は、切替フラグが立っている間、例えば、パトライトやスピーカ等を通じて当該ＳＶＲ１３０の異常を視聴覚的に周囲に報知する。
【００３５】
ここでは、開閉操作部１５８が、切替フラグが立った時点でＳＶＲ１３０を切り離す例を挙げたが、かかる場合に限られず、高圧配電線路１２０の給電停止を確認後、即ち、変電所リレーの動作により事故電流が消滅したことを確認した後、ＳＶＲ１３０を高圧配電線路１２０から切り離すことも可能である。
【００３６】
異常検出装置１５０では、第１変流器１５２が検出した電流値と第２変流器１５４が検出した電流値とを比較し、所定値以上の差分があった場合に当該ＳＶＲ１３０に事故があったと判断する。かかる構成により、異常検出装置１５０は、ＳＶＲ１３０の異常を個々に特定することができ、異常が生じたＳＶＲ１３０を迅速かつ確実に高圧配電線路１２０から切り離すことが可能となる。
【００３７】
また、短絡電流が小さい場合や、避雷器ＬＡが動作する場合であっても、その時点で差分検出部１５６は、第１変流器１５２と第２変流器１５４との電流値の差分によりその異常を確実に検出することができるので、事故地点の早期の特定、除去が可能となり、他の設備被害のリスクを削減することができる。
【００３８】
当該ＳＶＲ１３０より下流における故障が生じた場合にも事故による異常電流が発生するが、第１変流器１５２と第２変流器１５４との電流値には差分が生じないので、異常検出装置１５０は、異常を検出せず（誤動作せず）、開閉ユニット１４０の各開閉部の開閉は行われない。
【００３９】
しかし、第２変流器１５４が第３開閉部１４６（第１開閉部１４２）の負荷側端子の電流を検出する上で電流値の通常範囲を超える所謂異常電流を検知した場合、異常報知部１６０は、その異常電流の検知を周囲に報知してもよい。このとき、異常電流の報知パターンをＳＶＲ１３０の異常と変え、どちらの異常であるかを識別できるようにする。
【００４０】
かかる構成により、既存の短絡電流通過表示器（ＳＩ）同様、第３開閉部１４６の負荷側端子の異常電流が検出され、当該開閉ユニット１４０より下流において短絡または地絡による事故が起きていることをその周囲で視覚的に把握することが可能となる。
【００４１】
（第２の実施形態：配電系統システム２００）
第１の実施形態においては、異常検出装置１５０が単独でＳＶＲ１３０の異常を特定、分離する構成を述べたが、近年、配電系統に並設された通信網も発達し、遠隔地で情報を集約、判断して開閉器個々の操作まで遂行することが可能となった。本実施形態では、ＳＶＲ１３０の異常を配電系統システム２００全体として受信し、その対応を行う例を説明する。
【００４２】
図５は、配電系統システム２００の概略的な構成を示す説明図である。ここで配電系統システム２００は、配電用変電所１１０と、高圧配電線路１２０と、ＳＶＲ１３０と、開閉ユニット１４０と、異常検出装置２５０と、管理サーバ２６０と、通信網２７０とを含んで構成される。通信網２７０は、高速専用回線、ＩＳＤＮ(Integrated Services Digital Network)回線やインターネット等の通信媒体をいう。第１の実施形態における構成要素として既に述べた配電用変電所１１０と、高圧配電線路１２０と、ＳＶＲ１３０と、開閉ユニット１４０とは、実質的に機能が同一なので重複説明を省略し、ここでは、構成が相違する、異常検出装置２５０と、管理サーバ２６０を主に説明する。
【００４３】
図６は、ＳＶＲ１３０と、開閉ユニット１４０と、異常検出装置２５０と、管理サーバ２６０との接続関係を示した回路図である。異常検出装置２５０は、第１変流器１５２と、第２変流器１５４と、差分検出部１５６と、異常伝達部２５８と、異常報知部１６０とを含んで構成される。上述した構成要素に関しては説明を省略し、異常伝達部２５８に関して説明する。異常伝達部２５８は、差分検出部１５６により操作される切替フラグが立っていれば、その旨管理サーバ２６０に通信網２７０を介して伝達する。
【００４４】
管理サーバ２６０は、複数の異常検出装置２５０に通信網２７０を介して接続され、異常検出装置２５０からの情報を集約すると共に各開閉ユニット１４０の開閉制御も行う。そして、異常伝達部２５８からＳＶＲ１３０の異常が伝達されると、配電用変電所１１０における変電所リレーの動作により事故電流が消滅した後に、伝達があった異常検出装置２５０に接続された開閉ユニット１４０に対してＳＶＲの高圧配電線路１２０からの切り離しを指令する。ここでは異常伝達部２５８から切替フラグが立っている旨管理サーバ２６０に伝達される構成を述べているが、管理サーバ２６０が異常検出装置２５０を監視し、切替フラグの状態をロードする構成を採用することもできる。
【００４５】
開閉ユニット１４０は、管理サーバ２６０からの指令を受けて、自体における、第１開閉部１４２を閉路し、第２開閉部および第３開閉部を開路してＳＶＲ１３０を配電線路から切り離す。
【００４６】
かかる配電系統システム２００では、配電系統上の事故地点を上位である管理サーバ２６０が把握することができるので、事故地点が複数あるときの統括的な対応や、事故原因の分析等事故に関する様々な傾向を把握することが可能となる。また、第１の実施形態同様、ＳＶＲ１３０の異常を個々に特定し、異常が生じたＳＶＲ１３０を迅速かつ確実に高圧配電線路１２０から切り離すことができるので、本来の配電系統システム２００の機能の早期回復を図ることが可能となる。
【００４７】
また、第２変流器１５４が第３開閉部１４６（第１開閉部１４２）の負荷側端子の電流を検出する上で電流値の通常範囲を超える所謂異常電流を検知した場合、異常伝達部２５８は、異常電流を検知したことも管理サーバ２６０に伝達する。
【００４８】
かかる構成により、管理サーバ２６０は、特定の開閉ユニット１４０より下流において短絡または地絡による事故が起きていることを把握することが可能となる。
【００４９】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５０】
本発明は、ＳＶＲの異常を検出する異常検出装置および配電系統システムに適用可能である。
【図面の簡単な説明】
【００５１】
【図１】第１の実施形態における配電系統システムの概略的な構成を示す説明図である。
【図２】ＳＶＲと、開閉ユニットと、異常検出装置との接続関係を示した回路図である。
【図３】ＳＶＲと、開閉ユニットと、異常検出装置の位置関係を示した外観図である。
【図４】ＳＶＲの動作を説明するための説明図である。
【図５】第２の実施形態における配電系統システムの概略的な構成を示す説明図である。
【図６】ＳＶＲと、開閉ユニットと、異常検出装置と、管理サーバとの接続関係を示した回路図である。
【図７】従来技術における自動電圧調整器（ＳＶＲ）と開閉器との接続関係を示した回路図である。
【図８】従来技術における自動電圧調整器（ＳＶＲ）および開閉器の配置を説明するための配置図である。
【符号の説明】
【００５２】
１００、２００  …配電系統システム
１２０  …高圧配電線路（配電線路）
１３０  …自動電圧調整器（ＳＶＲ）
１４０  …開閉ユニット
１４２  …第１開閉部
１４４  …第２開閉部
１４６  …第３開閉部
１５０、２５０  …異常検出装置
１５２  …第１変流器
１５４  …第２変流器
１５６  …差分検出部
１５８  …開閉操作部
１６０  …異常報知部
２５０  …異常検出装置
２６０  …管理サーバ
【図１】
2009201272.tif 000003
【図２】
2009201272.tif 000004
【図３】
2009201272.tif 000005
【図４】
2009201272.tif 000006
【図５】
2009201272.tif 000007
【図６】
2009201272.tif 000008
【図７】
2009201272.tif 000009
【図８】
2009201272.tif 000010